(57)【要約】    【課題】  装置に異常が発生した場合等に、直ちに運転状態に関する情報、例えば原因の究明、異常の対処方法に関する情報が取得できる様にし、異常からの復旧が迅速に行える様にする。    【解決手段】  装置１と携帯端末機２とを具備し、前記装置は、運転状態を監視し、運転状態に関する情報をコード化する制御部５と、コードを表示する表示部６とを有し、前記携帯端末機はコードを読取るコードリーダ７と、該コードリーダの情報に基づき運転状態の情報を表示する表示部８を有する。    【選択図】          図１
2009230638.tif 000002
【特許請求の範囲】
【請求項１】
装置と携帯端末機とを具備し、前記装置は、運転状態を監視し、運転状態に関する情報をコード化する制御部と、コードを表示する表示部とを有し、前記携帯端末機はコードを読取るコードリーダと、該コードリーダの情報に基づき運転状態の情報を表示する表示部を有することを特徴とする装置運転状態の情報収集システム。
【請求項２】
装置と、携帯端末機と、前記装置の運転状態に対応した原因情報、処理方法の情報を少なくとも格納するサーバとを具備し、前記装置は、運転状態を監視し、運転状態に関する情報をコード化する制御部と、コードを表示する表示部とを有し、前記携帯端末機は表示部と、コードを読取るコードリーダとを有し、前記携帯端末機がコードを読取ることでインターネットを介して前記サーバに接続され、該サーバに格納された前記原因情報、処理方法が前記携帯端末機の前記表示部に表示される様構成したことを特徴とする装置運転状態の情報収集システム。
【請求項３】
装置と、携帯端末機と、前記装置の運転状態に対応した原因情報、処理方法の情報を少なくとも格納するサーバと、前記装置の遠隔監視システムとを具備し、前記装置は、運転状態を監視し、運転状態に関する情報をコード化する制御部と、コードを表示する表示部とを有し、前記携帯端末機が通信機能と、表示部と、コードを読取るコードリーダとを有し、前記携帯端末機がコードを読取ることで前記遠隔監視システムに回線が接続されることを特徴とする装置運転状態の情報収集システム。
【請求項４】
前記携帯端末機がインターネット接続機能を有し、前記携帯端末機がコードを読取ることで前記インターネットを介して前記サーバに接続され、該サーバに格納された前記原因情報、処理方法が前記携帯端末機の前記表示部に表示されると共に運転状態に対応した前記原因情報、処理方法の情報が前記遠隔監視システムに送信される請求項３の装置運転状態の情報収集システム。
【請求項５】
装置と、デジタルカメラ又はデジタルカメラを内蔵する携帯端末機と、パソコンとを具備し、前記装置は、運転状態を監視し、運転状態に関する情報をコード化する制御部と、コードを表示する表示部とを有し、前記デジタルカメラ又は前記携帯端末機は第１記憶部を有し、該第１記憶部には撮影したコードの画像データが保存され、前記パソコンは画像データの入出力部と、第２記憶部と、画像データから前記コードを認識し、該コードから運転状態に関する情報に変換するコード判別プログラムとを具備し、前記第２記憶部には画像データから得られた運転状態に関する情報が格納されることを特徴とする装置運転状態の情報収集システム。
【請求項６】
前記パソコンの記憶部に、前記コードに対応する運転状態に関する情報が格納され、画像データから前記コードを認識することで、前記パソコンの表示部、前記携帯端末機の表示部の少なくとも一方に前記コードに対応する運転状態に関する情報が表示される請求項５の装置運転状態の情報収集システム。
【請求項７】
前記コードには、前記装置の異常項目、異常原因、異常に対処する情報の少なくとも１つが含まれている請求項１〜請求項５のいずれか１つの装置運転状態の情報収集システム。
【発明の詳細な説明】
【技術分野】
【０００１】
本発明は、装置、例えばボイラ装置、発電装置等の産業装置の運転中の異常、或はメンテナンス中に異常を発見した場合等、異常の状態、或は対処方法等の情報を迅速に収集可能な装置運転状態の情報収集システムに関するものである。
【背景技術】
【０００２】
ボイラ装置、発電装置等常時稼働が要求される装置、生産ラインに設備される装置等、例えば、ボイラ装置に於いて、失火は蒸気の供給が停止するという深刻な異常事態である。通常失火が発生した場合、或は駆動を開始する場合に点火できなかった場合は、燃焼状態を検知するセンサによって、失火が検出され、制御装置の表示部に失火を示す表示が成されている。
【０００３】
表示部に失火が表示されると、管理者がマニュアルにより失火の原因を調査し、又原因を究明すると、更にマニュアルにより対処方法を理解し、その後所要の処理を実行して復旧させている。
【０００４】
上記した従来の異常対処方法であると、マニュアルにより異常の原因を究明するのに時間を要し、更に対処方法を理解することにも時間が必要である。従って、異常の解消を迅速に行うことができなかった。
【０００５】
更に、マニュアルが現場にないこともあり、この場合は、更に時間が掛っていた。
【０００６】
例えば、マニュアルが手元にあった場合で、装置が小型の貫流ボイラの場合、マニュアルにより失火原因がガスストレーナのつまりと究明し、更に対処方法を理解する迄、１０分を要し、又復旧処置を実施した所要時間が２０分であったとすると、異常解消迄に３０分を要したことになる。
【０００７】
貫流ボイラの定格が、蒸気の供給量：２０００ｋｇ／ｈであった場合、８４０ｋｇの蒸気が、蒸気使用プロセスに供給できないことになる。
【０００８】
従って、異常が発生した場合、可及的速やかに、復旧処置を実行し、蒸気の供給が停止する事態を解消することが望まれる。
【０００９】
【特許文献１】特開２００７−４７５９号公報
【発明の開示】
【発明が解決しようとする課題】
【００１０】
本発明は斯かる実情に鑑み、装置に異常が発生した場合等に、直ちに運転状態に関する情報、例えば原因の究明、異常の対処方法に関する情報が取得できる様にし、異常からの復旧が迅速に行える様にするものである。
【課題を解決するための手段】
【００１１】
本発明は、装置と携帯端末機とを具備し、前記装置は、運転状態を監視し、運転状態に関する情報をコード化する制御部と、コードを表示する表示部とを有し、前記携帯端末機はコードを読取るコードリーダと、該コードリーダの情報に基づき運転状態の情報を表示する表示部を有する装置運転状態の情報収集システムに係るものである。
【００１２】
又本発明は、装置と、携帯端末機と、前記装置の運転状態に対応した原因情報、処理方法の情報を少なくとも格納するサーバとを具備し、前記装置は、運転状態を監視し、運転状態に関する情報をコード化する制御部と、コードを表示する表示部とを有し、前記携帯端末機は表示部と、コードを読取るコードリーダとを有し、前記携帯端末機がコードを読取ることでインターネットを介して前記サーバに接続され、該サーバに格納された前記原因情報、処理方法が前記携帯端末機の前記表示部に表示される様構成した装置運転状態の情報収集システムに係るものである。
【００１３】
又本発明は、装置と、携帯端末機と、前記装置の運転状態に対応した原因情報、処理方法の情報を少なくとも格納するサーバと、前記装置の遠隔監視システムとを具備し、前記装置は、運転状態を監視し、運転状態に関する情報をコード化する制御部と、コードを表示する表示部とを有し、前記携帯端末機が通信機能と、表示部と、コードを読取るコードリーダとを有し、前記携帯端末機がコードを読取ることで前記遠隔監視システムに回線が接続される装置運転状態の情報収集システムに係るものである。
【００１４】
又本発明は、前記携帯端末機がインターネット接続機能を有し、前記携帯端末機がコードを読取ることで前記インターネットを介して前記サーバに接続され、該サーバに格納された前記原因情報、処理方法が前記携帯端末機の前記表示部に表示されると共に運転状態に対応した前記原因情報、処理方法の情報が前記遠隔監視システムに送信される装置運転状態の情報収集システムに係るものである。
【００１５】
又本発明は、装置と、デジタルカメラ又はデジタルカメラを内蔵する携帯端末機と、パソコンとを具備し、前記装置は、運転状態を監視し、運転状態に関する情報をコード化する制御部と、コードを表示する表示部とを有し、前記デジタルカメラ又は前記携帯端末機は第１記憶部を有し、該第１記憶部には撮影したコードの画像データが保存され、前記パソコンは画像データの入出力部と、第２記憶部と、画像データから前記コードを認識し、該コードから運転状態に関する情報に変換するコード判別プログラムとを具備し、前記第２記憶部には画像データから得られた運転状態に関する情報が格納される装置運転状態の情報収集システムに係るものである。
【００１６】
又本発明は、前記パソコンの記憶部に、前記コードに対応する運転状態に関する情報が格納され、画像データから前記コードを認識することで、前記パソコンの表示部、前記携帯端末機の表示部の少なくとも一方に前記コードに対応する運転状態に関する情報が表示される装置運転状態の情報収集システムに係るものである。
【００１７】
又本発明は、前記コードには、前記装置の異常項目、異常原因、異常に対処する情報の少なくとも１つが含まれている装置運転状態の情報収集システムに係るものである。
【発明の効果】
【００１８】
本発明によれば、装置と携帯端末機とを具備し、前記装置は、運転状態を監視し、運転状態に関する情報をコード化する制御部と、コードを表示する表示部とを有し、前記携帯端末機はコードを読取るコードリーダと、該コードリーダの情報に基づき運転状態の情報を表示する表示部を有するので、マニュアル等の書類を必要とせず直ちに情報が得られ、異常、注意、メンテナンス等の対応が迅速に行え、又書類管理の必要がなくなり、装置側の表示部はコード表示するだけでよく、小型化でき、コストダウンが図れる。
【００１９】
又本発明によれば、装置と、携帯端末機と、前記装置の運転状態に対応した原因情報、処理方法の情報を少なくとも格納するサーバとを具備し、前記装置は、運転状態を監視し、運転状態に関する情報をコード化する制御部と、コードを表示する表示部とを有し、前記携帯端末機は表示部と、コードを読取るコードリーダとを有し、前記携帯端末機がコードを読取ることでインターネットを介して前記サーバに接続され、該サーバに格納された前記原因情報、処理方法が前記携帯端末機の前記表示部に表示される様構成したので、マニュアル等の書類を必要とせず直ちに情報が得られ、異常、注意、メンテナンス等の対応が迅速に行え、又書類管理の必要がなくなり、又前記装置の運転状態に対応した前記原因情報、処理方法の情報の更新については、前記サーバの情報を更新するだけで全ての顧客のデータを効率よく、迅速に更新できる。
【００２０】
又本発明によれば、装置と、携帯端末機と、前記装置の運転状態に対応した原因情報、処理方法の情報を少なくとも格納するサーバと、前記装置の遠隔監視システムとを具備し、前記装置は、運転状態を監視し、運転状態に関する情報をコード化する制御部と、コードを表示する表示部とを有し、前記携帯端末機が通信機能と、表示部と、コードを読取るコードリーダとを有し、前記携帯端末機がコードを読取ることで前記遠隔監視システムに回線が接続されるので、マニュアル等の書類から対処方法を検索し、理解する必要がなく、直ちに前記遠隔監視システムから必要な情報が得られる。
【００２１】
又本発明によれば、前記携帯端末機がインターネット接続機能を有し、前記携帯端末機がコードを読取ることで前記インターネットを介して前記サーバに接続され、該サーバに格納された前記原因情報、処理方法が前記携帯端末機の前記表示部に表示されると共に運転状態に対応した前記原因情報、処理方法の情報が前記遠隔監視システムに送信されるので、前記遠隔監視システムでは運転状態に関する情報を管理する必要がなく、顧客に対して充分な情報の提供が可能であり、又、前記装置の運転状態に対応した前記原因情報、処理方法の情報の更新については、前記サーバの情報を更新するだけでよく、常に最新の情報で対応が可能である。
【００２２】
又本発明によれば、装置と、デジタルカメラ又はデジタルカメラを内蔵する携帯端末機と、パソコンとを具備し、前記装置は、運転状態を監視し、運転状態に関する情報をコード化する制御部と、コードを表示する表示部とを有し、前記デジタルカメラ又は前記携帯端末機は第１記憶部を有し、該第１記憶部には撮影したコードの画像データが保存され、前記パソコンは画像データの入出力部と、第２記憶部と、画像データから前記コードを認識し、該コードから運転状態に関する情報に変換するコード判別プログラムとを具備し、前記第２記憶部には画像データから得られた運転状態に関する情報が格納されるので、前記装置の経時的な運転状態情報が蓄積できる。
【００２３】
又本発明によれば、前記パソコンの記憶部に、前記コードに対応する運転状態に関する情報が格納され、画像データから前記コードを認識することで、前記パソコンの表示部、前記携帯端末機の表示部の少なくとも一方に前記コードに対応する運転状態に関する情報が表示されるので、マニュアル等の書類を必要とせず直ちに情報が得られ、異常、注意、メンテナンス等の対応が迅速に行え、又書類管理の必要がなくなる。
【発明を実施するための最良の形態】
【００２４】
以下、図面を参照しつつ本発明を実施する為の最良の形態を説明する。
【００２５】
先ず、図１に於いて、本発明に係る装置運転状態の情報収集システムの概略を説明する。
【００２６】
図中、１は装置、２は携帯端末機、３はインターネット、４は装置メーカに設備されているサーバ４である。
【００２７】
前記装置１は、例えば小型の貫流ボイラ１であり、該貫流ボイラ１は制御部５、表示部６を具備し、前記制御部５はボイラの燃焼状態、蒸気供給量を制御し、又異常があった場合、前記貫流ボイラ１が具備する各種センサからの信号を基に異常を検出し、又異常状態の判断を行い、更に異常状態の判断に基づき、異常状態を異常コードに変換し、該異常コードを前記表示部６に表示する。変換される異常コードとしては、例えばバーコード、ＱＲコード（登録商標）、カラーコード（登録商標）等が挙げられ、異常コード中には、異常項目、異常状態に対応したデータ、又ＵＲＬ等が含まれている。尚、前記表示部６に表示される内容としては、異常時のみに限らず、異常が予想される場合に注意情報、メンテナンス時期となった場合にメンテナンス情報等についてもコード表示される。
【００２８】
前記携帯端末機２は、例えば読取り機能を有する携帯端末機２であり、例えば携帯電話機、ＰＨＳ、ＰＤＡ、デジタルカメラ等である。例えば前記携帯端末機２を携帯電話とすると、前記表示部６に表示された異常コードを読取るコードリーダ７、表示部８、テンキー、ファンクションキー等を有する操作部９を具備し、前記インターネット３と接続可能となっている。
【００２９】
前記サーバ４は、前記インターネット３に接続され、前記異常コードに関する情報を具備している。該情報としては、例えば異常コードに対応する異常項目、原因、異常の対処方法に関する情報であり、これらの情報は異常コードに関連付けられて格納されている。
【００３０】
次に、図２に於いて、本発明の装置運転状態の情報収集システムに於ける第１の実施態様について説明する。
【００３１】
ＳＴＥＰ：０１  前記貫流ボイラ１を起動し、更に稼働させている状態で、異常がない場合は、異常処理が成されることなく、稼働状態が続行される。
【００３２】
ＳＴＥＰ：０２  異常が検出されると、前記表示部６に異常内容が表示されると共に異常内容に対応する異常コードが選択され、前記表示部６に表示される。
【００３３】
ＳＴＥＰ：０３  管理者が該表示部６の異常内容の表示を認識すると、前記コードリーダ７を起動する。
【００３４】
ＳＴＥＰ：０４  前記携帯端末機２の前記コードリーダ７により前記表示部６に表示された異常コードを読取る。
【００３５】
ＳＴＥＰ：０５  読取った異常コードからＵＲＬが判別され、前記表示部８に表示されると共に前記インターネット３を介して前記サーバ４に接続される。
【００３６】
ＳＴＥＰ：０６  該サーバ４から前記ＵＲＬに対応するホームページ（ＨＰ）が前記表示部８に表示される。該ＨＰは、前記貫流ボイラ１の装置メーカが保有するＨＰの内、前記貫流ボイラ１の異常対処に関するＨＰとなっており、該ＨＰ中には前記異常コードに関連付けられた、異常項目、異常原因、復旧の為の対処方法、更に装置メーカの異常対応部門の連絡先等が表示される。
【００３７】
従って、現場の管理者は、前記表示部８に表示された対処方法に基づき、直ちに復旧処理が実行できる。
【００３８】
従って、上記従来例で述べた対処方法に比べ、対処方法を理解する迄の時間が大幅に短縮（短縮時間  ９分４０秒）された。
【００３９】
図３に於いて、本発明の装置運転状態の情報収集システムに於ける作用の第２の実施態様について説明する。該第２の実施態様に於いては、前記携帯端末機２の記憶部には異常コードに対応した情報が格納され、又異常コードを認識し、該異常コードに対応した情報を前記表示部８に表示されるプログラムが格納されている。
【００４０】
ＳＴＥＰ：１１  前記貫流ボイラ１を起動し、更に稼働させている状態で、異常がない場合は、異常処理が成されることなく、稼働状態が続行される。
【００４１】
ＳＴＥＰ：１２  異常が検出されると、前記表示部６に異常内容が表示されると共に異常内容に対応する異常コードが選択され、前記表示部６に表示される。
【００４２】
ＳＴＥＰ：１３  管理者が該表示部６の異常内容の表示を認識すると、前記コードリーダ７を起動する。
【００４３】
ＳＴＥＰ：１４  前記携帯端末機２の前記コードリーダ７により前記表示部６に表示された異常コードを読取る。
【００４４】
ＳＴＥＰ：１５  読取った異常コードから、該異常コードに対応した情報を前記表示部８に表示する。表示内容としては、異常原因、復旧の為の対処方法、更に装置メーカの異常対応部門の連絡先等である。
【００４５】
次に、図４に於いて、本発明の装置運転状態の情報収集システムに於ける第３の実施態様について説明する。
【００４６】
ＳＴＥＰ：２１  前記貫流ボイラ１を起動し、更に稼働させている状態で、異常がない場合は、異常処理が成されることなく、稼働状態が続行される。
【００４７】
ＳＴＥＰ：２２  異常が検出されると、前記表示部６に異常内容が表示されると共に異常内容に対応する異常コードが選択され、前記表示部６に表示される。
【００４８】
ＳＴＥＰ：２３  管理者が該表示部６の異常内容の表示を認識すると、前記コードリーダ７を起動する。
【００４９】
ＳＴＥＰ：２４  前記携帯端末機２の前記コードリーダ７により前記表示部６に表示された異常コードを読取る。該異常コードから更にＵＲＬが判別され、前記インターネット３を介して前記サーバ４に接続され、該サーバ４に異常コードが送信される。
【００５０】
ＳＴＥＰ：２５  前記サーバ４から、異常コード、該異常コードに対応する異常内容、対処方法等の情報が遠隔監視システムのオペレータに送信される。
【００５１】
又、前記コードリーダ７で異常コードが読取られることで、該コードリーダ７に含まれる情報から遠隔監視システムのオペレータに自動的にダイアルされ、前記携帯端末機２と遠隔監視システムとが接続され、オペレータから直接、対応方法等を説明され、オペレータの指示に従って、適切に且つ迅速に復旧処理を実行できる。
【００５２】
次に、図５に於いて、本発明の装置運転状態の情報収集システムに於ける第４の実施態様について説明する。
【００５３】
ＳＴＥＰ：３１  前記貫流ボイラ１を起動し、更に稼働させている状態で、稼働状態、例えば一日の蒸気の使用量の変動等のデータが前記制御部５によって取得され、記憶部（図示せず）に蓄積される。
【００５４】
例えば、管理者によって前記制御部５を介して稼働状態のデータの呼出しを行うと、稼働状態のデータがコード化され、例えばＱＲコードとして前記表示部６に表示される。
【００５５】
ＳＴＥＰ：３２  該表示部６に表示されたＱＲコードをデジタルカメラによって撮影し、ＱＲコードをデジタルカメラ内部の記憶部に画像データとして記憶させ、デジタルカメラから画像データをパソコンに入力、或はデータ電送する。
【００５６】
ＳＴＥＰ：３３，ＳＴＥＰ：３４  パソコンは画像データを読取り、記憶部に保存する入出力部を有し、又記憶部にはＱＲコード判別プログラムが格納されている。該ＱＲコード判別プログラムによって、画像データからＱＲコードを認識し、又ＱＲコードに含まれた稼働状態のデータ、例えばボイラの形式、製造年月日、データ取得時、積算流量等のデータが読取られ、これらの情報はパソコンの記憶部に記憶される。従って、後日パソコンでデータを分析することで、前記貫流ボイラ１の長期的な稼働状態を知ることができる。
【００５７】
尚、前記パソコンの異常コードに対応するデータ、例えば異常コードに対応する異常項目、原因、異常の対処方法に関する情報を格納し、前記画像データからＱＲコードを認識することで、これらの情報をパソコンの表示部、或は接続された前記携帯端末機２の前記表示部８に同時に、或は一方に表示させてもよい。
【００５８】
又、第４の実施態様に於いて、前記コードを撮影する前記携帯端末機２としてはデジタルカメラを内蔵し、又パソコンに接続可能な携帯電話であってもよい。
【図面の簡単な説明】
【００５９】
【図１】本発明の実施の形態に係る装置運転状態の情報収集システムの概略構成図である。
【図２】本発明の第１の実施態様を示すフローチャートである。
【図３】本発明の第２の実施態様を示すフローチャートである。
【図４】本発明の第３の実施態様を示すフローチャートである。
【図５】本発明の第４の実施態様を示すフローチャートである。
【符号の説明】
【００６０】
１              貫流ボイラ
２              携帯端末機
３              インターネット
４              サーバ
５              制御部
６              表示部
８              表示部
９              操作部
【図１】
2009230638.tif 000003
【図２】
2009230638.tif 000004
【図３】
2009230638.tif 000005
【図４】
2009230638.tif 000006
【図５】
2009230638.tif 000007